(57)【特許請求の範囲】
【請求項１】
先セル本体と、
前記先セル本体に取り付けられる支持部材であって、前記先セル本体に回動自在に取り付けられる第１腕部と、前記第１腕部に回動自在に取り付けられる第２腕部とを有する支持部材と、
前記第２腕部に取り付けられる骨伝導スピーカとを備え、
前記支持部材は、前記先セル本体に対して前記第１腕部を回動させることによって、前記第１腕部の姿勢を多段階に調整する第１回動部と、前記第１腕部に対して前記第２腕部を回動させることによって、前記第２腕部の姿勢を無段階に調整する第２回動部とを有し、
前記第１回動部は、回動を妨げるための複数の凹凸が形成されたギヤ部を有することを特徴とする骨伝導スピーカ付き先セル。
【請求項２】
軸部材を介して前記先セル本体と揺動可能に取り付けられ、耳の裏側に当接可能な耳当接部を有する耳当て部材と、
前記先セル本体の前記耳当て部材が取り付けられた部位より前方にある所定部と前記耳当接部の前端部とを連結する可撓性の絡み防止部材とを備えることを特徴とする請求項１に記載の骨伝導スピーカ付き先セル。
【請求項３】
前記支持部材は、
前記骨伝導スピーカを前記第２腕部に取り付ける骨伝導スピーカ支持部を有し、
前記骨伝導スピーカは、音を伝達させる対象物に圧着し、振動することで前記対象物に音を伝達する圧着面を有し、
前記骨伝導スピーカ支持部は、前記圧着面の向きを変更可能に前記骨伝導スピーカを前記第２腕部に取り付けることを特徴とする請求項１又は２に記載の骨伝導スピーカ付き先セル。
【請求項４】
前記骨伝導スピーカは、
ボイスコイルと、
前記ボイスコイルの内側に配置される第１マグネット、前記ボイスコイルの外側に配置される第２マグネット、及び、前記第１マグネット及び前記第２マグネットが配設される振動板を具備する振動部とを有することを特徴とする請求項１から３の何れか１項に記載の骨伝導スピーカ付き先セル。
【請求項５】
請求項１から４の何れか１項に記載の骨伝導スピーカ付き先セルを備える眼鏡フレーム。
【請求項６】
テンプルを有し、
前記骨伝導スピーカ付き先セルは、前記テンプルに着脱自在に取り付けられることを特徴とする請求項５に記載の眼鏡フレーム。
【発明の詳細な説明】
【技術分野】
【０００１】
本発明は、骨伝導スピーカ付き先セル、及び、該骨伝導スピーカ付き先セルを備える眼鏡フレームに関する。
【背景技術】
【０００２】
近年、装着しながら音楽を聞くことができる眼鏡フレームが提案されている。かかる眼鏡フレームには、気導式スピーカ（気導式受話器）が備えられている。この気導式スピーカは、鼓膜を介して音を内耳へ伝達するスピーカである。よって、かかる眼鏡フレームの使用者は、該眼鏡フレームを装着しながら鼓膜を介して音楽を聞くことができる。
【発明の開示】
【発明が解決しようとする課題】
【０００３】
しかしながら、上述のように、気導式スピーカの音楽は鼓膜を介して内耳へと伝達される。よって、気導式スピーカの音楽を聴いているとき、眼鏡フレームの使用者は、他人の声、車両の走行音等の周囲の音が聞き取り難い。
【０００４】
本発明は、スピーカの音を聞いていても、周囲の音を容易に聞き取ることができる眼鏡フレーム、及び、眼鏡フレームに取り付けられる先セルを提供することを課題とする。
【課題を解決するための手段】
【０００５】
本発明は、先セル本体と、前記先セル本体に取り付けられる支持部材であって、前記先セル本体に回動自在に取り付けられる第１腕部と、前記第１腕部に回動自在に取り付けられる第２腕部とを有する支持部材と、前記第２腕部に取り付けられる骨伝導スピーカとを備え、前記支持部材は、前記先セル本体に対して前記第１腕部を回動させることによって、前記第１腕部の姿勢を多段階に調整する第１回動部と、前記第１腕部に対して前記第２腕部を回動させることによって、前記第２腕部の姿勢を無段階に調整する第２回動部とを有し、前記第１回動部は、回動を妨げるための複数の凹凸が形成されたギヤ部を有することを特徴とする骨伝導スピーカ付き先セルを提供する。
【０００６】
骨伝導スピーカは、耳介等の人体の所定部分に圧着することにより、鼓膜を介さずに音を内耳へ伝達することができるスピーカである。よって、本発明に係る骨伝導スピーカ付き先セルが備えられた眼鏡フレームは、鼓膜を介さずに骨伝導スピーカの音を該眼鏡フレームの使用者に伝達することができる。従って、該使用者は、骨伝導スピーカの音を聞いていても、鼓膜を介して周囲の音を容易に聞き取ることができる。
また、本発明の構成においては、第１腕部と第２腕部とが回動自在に取り付けられている。よって、本発明の構成においては、使用者は、骨伝導スピーカの音がより鮮明に聞こえる位置に骨伝導スピーカを移動させて、骨伝導スピーカの音を聞くことができる。従って、本発明の骨伝導スピーカ付き先セルが備えられた眼鏡フレームは、骨伝導スピーカの音をより鮮明に使用者に伝達することができる。
多段階に調整とは、調整対象物の姿勢（ここでは、第１腕部の姿勢）を複数の姿勢から選択された任意の１つの姿勢にすることが可能であることを意味する。また、無段階に調整とは、調整対象物の姿勢（ここでは、第２腕部の姿勢）を連続的に変化させて、無数の姿勢から選択された任意の１つの姿勢にすることが可能であることを意味する。本発明の構成によれば、第１腕部の姿勢を調整することで、骨伝導スピーカの大まかな位置調整を行うことができ、第２腕部の姿勢を調整することで、骨伝導スピーカの細かな位置調整を行うことができる。このように、大まかな位置調整と細かな位置調整とが可能であるので、手早く使用者の所望する位置に骨伝導スピーカを移動させることができる。また、骨伝導スピーカが取り付けられた第２腕部の姿勢が無段階に調整可能とされているので、細かな位置調整の際には、動かす部材が少なく、小さな力で細かな位置調整を行うことができる。
【０００７】
好ましくは、軸部材を介して前記先セル本体と揺動可能に取り付けられ、耳の裏側に当接可能な耳当接部を有する耳当て部材と、前記先セル本体の前記耳当て部材が取り付けられた部位より前方にある所定部と前記耳当接部の前端部とを連結する可撓性の絡み防止部材とを備える構成とされる。
かかる好ましい構成においては、第１の手段に係る骨伝導スピーカ付き先セルが備えられた眼鏡フレームが、使用者に装着された状態において、該眼鏡フレームの前枠がずれ落ちようとすると、該眼鏡フレームのテンプルと共に骨伝導スピーカ付き先セルがずれ上がろうとする。骨伝導スピーカ付き先セルがずれ上がろうとすると、骨伝導スピーカ付き先セルに備えられる耳当て部材の耳当接部が上方へ移動しようとする。耳当接部が上方へ移動しようとすると、軸部材を中心として耳当接部は前回り方向へ回動しようとする。この時、耳当接部の前端部が使用者の耳の裏側を押圧する力が大きくなり、その結果、耳当接部と使用者の耳の裏側との相対的な移動が阻止され、骨伝導スピーカ付き先セルのずれ上がりが阻止される。このように、骨伝導スピーカ付き先セルのずれ上がりが阻止されると、眼鏡フレームのずれ落ちが阻止される。よって、かかる好ましい構成に係る骨伝導スピーカ付き先セルは、周囲の音を容易に聞き取ることができる他、眼鏡フレームのずれ落ちを防止できるという効果を奏することができる。
【０００８】
また、かかる好ましい構成に係る骨伝導スピーカ付き先セルにおいては、先セル本体の耳当て部材が取り付けられた部位より前方にある所定部と耳当接部の前端部とが絡み防止部材で連結されている。このように、絡み防止部材によって所定部と耳当接部の前端部とが連結されているため、先セル本体と耳当接部の前端部との間は、絡み防止部材で塞がれている。よって、かかる好ましい構成に係る骨伝導スピーカ付き先セルが取り付けられた眼鏡フレームを外す際に、該眼鏡フレームを上方へ持ち上げても、先セル本体と耳当接部との取り付け部位に髪の毛が入り込みにくい。よって、かかる好ましい構成に係る骨伝導スピーカ付き先セルは、先セル本体と耳当接部との取り付け部位に髪の毛が絡まることが抑制されている。また、絡み防止部材は、可撓性を有しており、耳当接部の揺動を阻害することがないため、上述した眼鏡フレームのずれ落ちを防止する効果の発揮を阻害することもない。よって、かかる好ましい構成に係る骨伝導スピーカ付き先セルは、上述した眼鏡フレームのずれ落ちの防止の効果の発揮を阻害することなく、髪の毛が絡むことが抑制されている。
【００１５】
好ましくは、本発明に係る眼鏡フレームにおいては、前記支持部材は、前記骨伝導スピーカを前記第２腕部に取り付ける骨伝導スピーカ支持部を有し、前記骨伝導スピーカは、音を伝達させる対象物に圧着し、振動することで前記対象物に音を伝達する圧着面を有し、前記骨伝導スピーカ支持部は、前記圧着面の向きを変更可能に前記骨伝導スピーカを前記第２腕部に取り付ける構成とされる。
【００１６】
かかる好ましい構成においては、圧着面の向きが変更可能である。よって、圧着面の向きは、圧着面と音を伝達させる対象物との密着性がより大きくなる向きにすることができる。音を伝達させる対象物としては、かかる好ましい構成の骨伝導スピーカ付き先セルが備えられた眼鏡フレームの使用者の耳介等を挙げることができる。従って、かかる好ましい構成の骨伝導スピーカ付き先セルが備えられた眼鏡フレームは、使用者の耳介に圧着面を圧着させることができるので、骨伝導スピーカの音をより鮮明に使用者に伝達することができる。
【００１７】
また、好ましくは、前記骨伝導スピーカは、ボイスコイルと、前記ボイスコイルの内側に配置される第１マグネット、前記ボイスコイルの外側に配置される第２マグネット、及び、前記第１マグネット及び前記第２マグネットが配設される振動板を具備する振動部とを有する構成とされる。
【００１８】
かかる好ましい構成によれば、ボイスコイルの内側及び外側の両側にマグネットが配置される。従って、ボイスコイル周辺に強力な磁界が生じる。よって、かかる好ましい構成によれば、小電力で振動板を振動させることができる。また、かかる好ましい構成によれば、ボイスコイル周辺に大きな磁界が生じるため、ボイスコイルに供給される電流を微弱に変化させることで、振動板の振動を変化させることができる。このため、かかる好ましい構成によれば、小電力で、高音質の音を伝達することができる。
【００１９】
また、本発明は、請求項１から４の何れか１項に記載の骨伝導スピーカ付き先セルを備える眼鏡フレームを提供する。
【００２０】
また、前記眼鏡フレームは、好ましくは、テンプルを有し、前記骨伝導スピーカ付き先セルは、前記テンプルに着脱自在に取り付けられる構成とされる。
【発明の効果】
【００２１】
本発明は、眼鏡フレームを装着してスピーカの音を聞いていても、周囲の音を容易に聞き取ることができる先セル、及び、該先セルを備える眼鏡フレームを提供することができる。
【発明を実施するための最良の形態】
【００２２】
以下、添付図面を参照しつつ、本発明の一実施形態に係る眼鏡フレームについて説明する。図１及び図２は、本実施形態に係る眼鏡フレームが備える骨伝導スピーカ付き先セル１の正面斜視図である。図３及び図４は、骨伝導スピーカ付き先セル１の背面斜視図である。図５及び図６は、骨伝導スピーカ付き先セル１の内部構成を示した分解斜視図である。図７は、骨伝導スピーカ付き先セル１の正面図である。図８は、骨伝導スピーカ付き先セル１の図７Ａ―Ａ断面図である。図９は、骨伝導スピーカ付き先セル１の図８のＢ−Ｂ断面図である。
【００２３】
図１に示すように、骨伝導スピーカ付き先セル１は、テンプル２後部に着脱自在に取り付けられている。骨伝導スピーカ付き先セル１は、先セル本体１０と、支持部材２０と、骨伝導スピーカ１００とを備える。
【００２４】
先セル本体１０は、直線状の前分と下方に湾曲した後部とを有している。後部は、本実施形態に係る眼鏡フレームの使用者の耳の裏側に掛けられる。図９に示すように、先セル本体１０の前部にはテンプル挿入孔１１が形成されている。かかるテンプル挿入孔１１は、先セル本体１０の前端部において開口され、該前端部から後方に延びている。テンプル
２の後部をテンプル挿入孔１１に挿脱することで、骨伝導スピーカ付き先セル１をテンプル２に着脱することができる。
【００２５】
また、図９に示すように、先セル本体１０は、先セル本体１０の外部からテンプル挿入孔１１の内部を視認するための透視窓１２を有する。かかる透視窓１２は、前後方向に沿って複数個形成されている。このような透視窓１２が前後方向に沿って複数個形成されていることで、先セル本体１０の外部から、テンプル挿入孔１１におけるテンプル２後部の挿入量を確認することができる。よって、骨伝導スピーカ付き先セル１は、テンプル２後部の挿入量を確認しながら、テンプル２後部の挿入量を調整することができる。
【００２６】
また、図９に示すように、先セル本体１０は、骨伝導スピーカ１００と連結されるコード３が挿入されるコード挿入用溝１３を有する。かかるコード挿入用溝１３は、下面が開放されている。先セル本体１０には、コード挿入用溝１３の下方を閉塞するコード固定具２２が取り付けられている。コード固定具２２は、コード掛け具２３が２つ形成されている。コード固定具２２によって、コード挿入用溝１３に挿入されたコード３が、コード挿入用溝１３から下方に垂れ下がることが防止されている。また、コード挿入用溝１３は、先セル本体１０の後端部に形成された貫通孔１３ａを通じて、先セル本体１０の後方と連通している。また、このコード３は、携帯音楽プレイヤーやラジオ等の音源に接続され、貫通孔１３ａを通って、音源からコード挿入用溝１３内に導かれ、コード挿入用溝１３のコード固定部２２より前方の部分からコード挿入用溝１３の外部に引き出され、骨伝導スピーカ１００に導かれている。このように、コード３がコード挿入用溝１３に挿入されることで、コード３が骨伝導スピーカ付き先セル１の外部に現れることが防止されている。
【００２７】
支持部材２０は、先セル本体１０に取り付けられている。かかる支持部材２０は、スプリング部と、第１回動部と、第１腕部４０と、第２回動部と、第２腕部５０と、骨伝導スピーカ支持部とを有する。
【００２８】
図５及び図６に示すように、第１回動部は、円筒状の軸１５と、回動キャップ３３と、ネジ４ａとを有する。軸１５は、先セル本体１０から外方向（眼鏡フレームを装着したとき、使用者の頭部が位置する方向と反対方向）に突出している。回動キャップ３３は、内側に円筒状の空間を有した凹状に形成され、前記外方向から該軸１５に被せられる。ネジ４ａは、軸１５に被せられた回動キャップ３３を先セル本体１０に対して軸１５周りに回動可能に軸１５に固定する。
【００２９】
更に、軸１５は、先セル本体１０側の部分において、周方向と直交方向に沿って複数の凹凸が形成されたギヤ部１６を有する。回動キャップ３３は、内周面から径内方向に突出した突起３５（図６参照）を有する。かかる突起３５は、回動キャップ３３を軸１５周りに回動させたときに、前記ギヤ部１６の凸部と接触して、該回動を妨げる。回動キャップ３３は、突起３５を３つ有する。かかる突起３５は、１２０°間隔で配置されている。このように、軸１５がギヤ部１６を、回動キャップ３３が突起３５を有することによって、回動キャップ３３の軸１５周りの回動量を多段階的に調整できる。
【００３０】
更に、図５に示すように、第１回動部は、先セル本体１０の軸１５から軸１５の径外方向に所定距離離れた位置に形成されたストッパー１７を有し、回動キャップ３３は、外周面から径外方向に突出したストッパー３８を有する。回動キャップ３３を先セル本体１０に対して軸１５周りに所定量回動させると、ストッパー１７とストッパー３８とが衝突する。よって、ストッパー１７、３８によって、回動キャップ３３の先セル本体１０に対する回動量が一定範囲に限定されている。
【００３１】
図５及び図６に示すように、スプリング部３０は、一端部（以下、リング部３２という。）がリング状に形成され、他端部（以下、折り曲げ部３６という。）が略直角に折り曲げられた弾性を有する板状のスプリング部材３１により形成されている。スプリング部材３１の材料には金属を用いることができる。図８に示すように、リング部３２は、回動キャップ３３に埋め込まれ、折り曲げ部３６は、回動キャップ３３から回動キャップ３３の径外方向（図８では下方）に所定距離離れている。このようにリング部３２が回動キャップ３３に埋め込まれることで、スプリング部材３１は回動キャップ３３と一体的に形成されている。リング部３２を回動キャップ３３に埋め込むことは、インサート成形等によって行うことができる。このように、リング部３２が回動キャップ３３に埋め込まれ、スプリング部材３１と回動キャップ３３とが一体的に形成されているので、折り曲げ部３６は、回動キャップ３３と共に、先セル本体１０に対して軸１５周りに回動することができる。また、スプリング部材３１は、折り曲げ部３６が外方（図８の矢印Ｚ方向）に押されて、折り曲げ部３６が外方に位置するように撓むと、折り曲げ部３６を元の位置に戻そうとする弾性力が生じる。
【００３２】
また、図５に示すように、リング部３２の内周縁は、凹凸状のギヤ模様３４が形成されている。一方、折り曲げ部３６は、１対の弾性突起部３７が互いに向き合うように形成されている。弾性突起部３７の突起方向は、折り曲げ部３６の厚み方向である。
【００３３】
図６に示すように、第１腕部４０は、スプリング溝４１と、ネジ穴４２とを有する。スプリング溝４１には、折り曲げ部３６が挿入されている。スプリング溝４１は、折り曲げ部３６の弾性突起部３７の突起方向より溝幅が小さい。よって、折り曲げ部３６は、弾性突起部３７が圧縮された状態でスプリング溝４１に挿入されている。このように、弾性突起部３７が圧縮された状態で折り曲げ部３６がスプリング溝４１に挿入されているため、第１腕部４０は、折り曲げ部３６に固定される。よって、第１腕部４０は、スプリング部３０を介して第１回動部に取り付けられ、スプリング部３０及び第１回動部を介して先セル本体１０に取り付けられている。また、第１腕部４０は、回動キャップ３３と共に軸１５周りに回動する折り曲げ部３６に固定されているため、回動キャップ３３及び折り曲げ部３６と共に、先セル本体１０に対して軸１５周りに回動することができる。上述のように、回動キャップ３３の軸１５周りの回動量は、多段階的に調整できるため、第１腕部４０の軸１５周りの回動量も多段階的に調整できる。従って、第１腕部４０の姿勢は、図１０（ａ）に示すように、多段階的に調整することができる。また、ストッパー１７、３８によって、回動キャップ３３の先セル本体１０に対する回動量が一定範囲に限定されているため、第１腕部４０の先セル本体１０に対する回動量も一定範囲に限定される。
【００３４】
ネジ穴４２は、ネジ止めによってリンクカバー７０を第１腕部４０に取り付けるための穴である。第１腕部４０は、一面に開口部が形成され、且つ、第１回動部、スプリング部３０、及び、コード挿入用溝１３から引き出されたコード３を収容できるような凹状に形成されている。リングカバー７０は、第１腕部４０の開口部を塞ぐことができるような板状に形成されている。このリングカバー７０にもネジ穴７１が形成されている。第１腕部４０のネジ穴４２と、リングカバー７０のネジ穴７１とにネジ４ｂが挿通されていることで、リングカバー７０が第１腕部４０の開口部を塞ぐように、第１腕部４０に取り付けられる。
【００３５】
図５及び図６に示すように、第２回動部は、第１腕部４０の一部分を貫通して形成された結合穴４３と、連結部５１と、リングカバー７０に形成されたフック７２と、固定キャップ８０とを有する。連結部５１は、円形の連結穴５２が内側に形成されている。フック７２は、リングカバー７０に一対形成され、リングカバー７０対して垂直方向に突出している。図１１は、図８のＣ−Ｃ断面図である。図１１に示すように、フック７２の先端部（以下、引掛突起部７３という。）は、フック７２の他の部分に比べて幅が太く、引掛突起部７３とフック７２の他の部分とにおいて段差が形成されている。また、１対のフック７２間の距離は、引掛突起部７３間の距離がフック７２の他の部分の間に比べて短い。固定キャップ８０は、固定突起部８１を有する。図１１に示すように、固定突起部８１の先端部の幅は、固定突起部８１の他の部分に比べて大きく、且つ、１対のフック７２の引掛突起部７３間の距離より長い。
【００３６】
図１に示すように、第２腕部５０は、フック７２と固定キャップ８０とによって第１腕部４０に回動可能に取り付けられる。この取り付けは、具体的には、図１１に示すように、結合穴４３と連結穴５２とに一対のフック７２を挿通し、一対のフック７２の間に形成された固定溝７４の引掛突起部７３の奥まで固定突起部８１を差し込むことで行われる。このように第２腕部５０が第１腕部４０に取り付けられることで、第２腕部５０は、第１腕部４０に対して１対のフック７２周りに回動することが可能となる。
【００３７】
また、固定突起部８１の幅は引掛突起部７３間の距離より長く、且つ、引掛突起部７３とフック部７２の他の部分とにおいて段差が形成されている。そのため、固定突起部８１は、固定溝７４の引掛突起部７３よりも奥まで差し込まれると、引掛突起部７３とフック部７２の他の部分とにおいて形成された段差に引っ掛かるため、固定溝７４から抜け難くなる。よって、第２腕部５０は、第１腕部４０に強固に取り付けられている。
【００３８】
また、フック７２には、軸１５のようにギヤ部が形成されていないので、第２腕部５０の１対のフック７２周りの回動量を無段階に調整できる。従って、第２腕部５０の姿勢は、図１０（ｂ）に示すように、無段階的に調整することができる
【００３９】
更に、図５に示すように、第２回動部は、リングカバー７０に形成されたストッパー７５を有する。また、連結部５１は、外周部の一部が凹み、外周部に段差部５４が形成されている。第２腕部５０を第１腕部４０に対して一対のフック７２周りに所定量回動させると、ストッパー７５と段差部５４とが衝突する。よって、ストッパー７５と段差部５４とによって、第２腕部５０の第１腕部４０に対する回動量が一定範囲に限定されている。
【００４０】
図６に示すように、骨伝導スピーカ支持部は、球形溝５３と、骨伝導スピーカ１００と連結された結合ボール６２とを有する。球形溝５３は、結合ボール６２を保持する空間であり、第２腕部５０に形成された４つの曲面壁によって仕切られた球形の空間である。結合ボール６２が第２腕部５０の曲面壁によって仕切られた球形溝５３に保持されることで、骨伝導スピーカ１００は、第２腕部５０に取り付けられる。この結合ボール６２は、球状であり、球形溝５３に保持された状態において、回転自在とされている。結合ボール６２が回転すると、骨伝導スピーカ１００の向きが上下方向及び前後方向に変わる。また、結合ボール６２は、図８に示すように、第１腕部４０から引き出されたコード３を骨伝導スピーカ１００に導くためのコード引き出し溝６３が形成されている。
【００４１】
図５及び図６に示すように、骨伝導スピーカ１００は、結合ボール６２と一体物であるハウジング６０に取り付けられている。図１２は、骨伝導スピーカ１００の内部構成を示した骨伝導スピーカ１００の断面図である。図１３は、骨伝導スピーカ１００の内部構成を示した分解断面図である。図１２及び図１３に示すように、骨伝導スピーカ１００は、フレーム１１０と、ボイスコイル１０２と、振動部１０３と、キャップ１０４と、振動伝達クッション１０５とを備える。
【００４２】
フレーム１１０は、結合ボール６２と反対側が開口され、内側にボイスコイル１０２及び振動部１０３を収納する空間を有した円筒状の部材である。フレーム１１０の開口部分は、ボイスコイル１０２及び振動部１０３を収納した状態でキャップ１０４によって閉塞されている。フレーム１１０の結合ボール６２側の側壁１１２の内面１１２ａには、リング状の突起部１１１が形成されている。かかる突起部１１１は、ボイスコイル１０２が外嵌されて固定されている。フレーム１１０の材料は、特に限定されるものでなく、合成樹脂、非磁性体の金属材料等を使用することができる。
【００４３】
ボイスコイル１０２は、結合ボール６２のコード引き出し溝６３に挿入されたコード３と接続されている。
【００４４】
振動部１０３は、図１３に示すように、第１プレート１３１と、第１マグネット１３２と、第２プレート１３３と、第２マグネット１３４と、基板１３５と、振動板１３６と、固定ピン１３７とを有する。
【００４５】
基板１３５は、ヨークとして機能する。図１２に示すように、かかる基板１３５は、ボイスコイル１０２を挟んで側壁１１２と反対側に位置する。基板１３５は、鉄等の磁性金属材料よりなる円板状の部材である。基板１３５のボイスコイル１０２側の面（以下、「一方の面」という）うち、ボイスコイル２に対応する位置にはリング状の突起１３５ａが形成されている。基板１３５の一方の面のうち、突起１３５ａの内側には第１マグネット１３２が接着されている。一方、基板１３５の一方の面のうち、突起１３５ａの外側には第２マグネット１３４が接着されている。このように、突起１３５ａを挟んで第１マグネット１３２と第２マグネット１３４とが配置されることで、ボイスコイル１０２の内側及び外側の両側にマグネットが配置される。突起１３５ａの高さは、突起１３５ａとボイスコイル１０２との間に隙間が形成される高さとすることができる。
【００４６】
第１マグネット１３２は、扁平な円柱形状の永久磁石である。第１マグネット１３２のボイスコイル１０２側の面には、第１プレート１３１が配置されている。よって、第１プレート１３１はボイスコイル１０２の内側に位置している。この第１プレート１３１は、第１マグネット１３２と同一の径を有する円板状である。第１プレート１３１の材料は、鉄等の磁性金属材料である。また、第１プレート１３１は、ボールピースとして機能する。
【００４７】
第２マグネット１３４は、第１マグネット１３２と略同一高さの扁平な円柱形状の永久磁石である。尚、第２マグネット１３４は、中央部に高さ方向に貫通する貫通孔１３４ａ（図１３参照）が形成されている。この貫通孔１３４ａに、第１マグネット１３２が収容されている。第２マグネット１３４は、第１マグネット１３２と共に磁気回路を構成する。第２マグネット１３４のボイスコイル１０２側の面には第２プレート１３３が配置されている。よって、第２プレート１３３はボイスコイル１０２の外側に位置している。この第２プレート１３３は、第２マグネット１３４と同一の径を有し、且つ、第２マグネット１３４の貫通孔１３４ａと同一の径の貫通孔１３３ａを有する円板状である。この貫通孔１３３ａには、第１プレート１３１が収容されている。第２プレート１３３の材料は、鉄等の磁性金属材料である。第２プレート１３３は、トッププレートとして機能し、第１プレート１３１との間に強力な磁場を発生させる。
【００４８】
振動板１３６は、基板１３５のボイスコイル１０２側と反対側の面に取り付けられている。図１４は、振動板１３６の平面図である。図１４に示すように、振動板１３６は、厚み方向に貫通した通孔１３６ｃを備えた中心部１６０と、フレーム１１０に取り付けられる周縁部１６１と、中心部１６０と周縁部１６１とを連結する複数の連結部１３６ａとを有する。図１２及び図１３に示すように、連結部１３６ａには、波状又は皺状に屈曲した屈曲部１３６ｂが形成されている。このように、屈曲部１３６ｂが複数形成されることで、振動板１３６の振動に影響を及ぼす振動板１３６表面積の増大化が図られている。図１４に示すように、連結部１３６ａは、９０°間隔で合計４個形成されているが、連結部１３６ｂの個数や配置位置は限定されるものでない。また、連結部１３６ａの幅も限定されるものでない。
【００４９】
また、振動板１３６だけでなく、基板１３５と、第１マグネット１３２と、第１プレート１３１との中心位置にも通孔１３５ｃ、１３２ｃ、１３１ｃが形成されている。これらの通孔１３６ｃ、１３５ｃ、１３２ｃ、１３１ｃは、固定ピン１３７が貫通し、該固定ピン１３７によって、振動板１３６と、基板１３５と、第１マグネット１３２と、第１プレート１３１とが同軸状に一体的に連結されている。固定ピン１３７には、各通孔１３６ｃ、１３５ｃ、１３２ｃ、１３１ｃを貫通してカシメ止めするカシメピンを用いることができる。また、固定ピン１３７には、カシメピン以外にも、ボルト・ナットや、その他の結合具を用いることができる。このように、通孔１３６ｃ、１３５ｃ、１３２ｃ、１３１ｃにより、振動板１３６と、基板１３５と、第１マグネット１３２と、第１プレート１３１との連結を固定ピン１３７で行うことができる。よって、これらの部材の連結のための構成がシンプルなため、骨伝導スピーカ１００の製造コストを低く抑えることができる。
【００５０】
図１２に示すように、フレーム１１０の開口を閉塞するキャップ１０４は、振動板１３６と当接している。キャップ１０４が閉塞するフレーム１１０の開口を形成する開口形成部１１３には、切欠き溝１１４が周設されている。この切欠き溝１１４には、振動板１３６の周縁部１６１が嵌合して、この嵌合により振動板１３６がフレーム１１０に取り付けられている。キャップ１０４は、円板状の基面１４０と、基面１４０の外周部に形成された突条部１４１とを有する。キャップ１０４の突条部１４１は、切欠き溝１１４に嵌合された振動板１３６の周縁部１６１を切欠き溝１１４に押え付けるように、切欠き溝１１４に嵌合している。かかるキャップ１０４の基面１４０のフレーム１１０の外側に位置する表面には、振動伝達クッション１０５が密着している。
【００５１】
キャップ１０４の基面１４０には、周方向に沿って多数の通孔１４２が形成されている。通孔１４２が形成されていることで、通孔１４２を通じて、フレーム１１０内の振動が振動伝達クッション１０５に伝達され易くされている。また、振動伝達クッション１０５が振動板１３６に当接したキャップ１０４に取り付けられている。このように振動伝達クッション１０５が取り付けられていることによっても、フレーム１１０内の振動が振動伝達クッション１０５に伝達され易くされている。更に、振動伝達クッション１０５がキャップ１０４に密着している。振動伝達クッション１０５がキャップ１０４に密着していることによっても、フレーム１１０内の振動が振動伝達クッション１０５に伝達され易くされている。
【００５２】
振動伝達クッション１０５は、骨伝導スピーカの音を伝達させる対象物に圧着される圧着面として機能する。即ち、振動伝達クッション１０５は、例えば、本実施形態に係る眼鏡フレームの使用者の耳介等に圧着される。上述のように、骨伝導スピーカ１００の向きは、結合ボール６２を回転させることで、上下方向及び前後方向に変更可能である。よって、振動伝達クッション１０５の向きも上下方向及び前後方向に変更可能である。よって、振動伝達クッション１０５の向きは、本実施形態に係る眼鏡フレームの使用者の耳介等と振動伝達クッション１０５との密着性が大きくなる向きにすることができる。よって、本実施形態に係る眼鏡フレームは、骨伝導スピーカの音をより鮮明に使用者に伝達することができる。
【００５３】
尚、振動伝達クッション１０５のキャップ１０４からの脱落を防止するために、図５又は図６に示す固定リング１０６を用いて、振動伝達クッション１０５をキャップ１０４に密着させてもよい。
【００５４】
以上の構成の骨伝導スピーカ１００における音の発生について説明する。コード３を介して電気信号がボイスコイル１０２に供給されると、電気信号に比例した磁場が発生する。この磁場は、第１プレート１３１及び第２プレート１３３の間に発生した磁場と相互作用し、この相互作用によって、ボイスコイル１０２に対して振動部１０３が相対的に振動する。振動部１０３の振動により振動板１３６が振動することで、骨伝導スピーカ１００の音（ボイスコイル２に供給される電気信号に応じた音）に対応する振動が、振動伝達クッション１０５に伝達される。振動伝達クッション１０５に振動が伝達されることで、振動伝達クッション１０５の振動が、振動伝達クッション１０５が圧着された使用者の耳介等に伝達される。
【００５５】
骨伝導スピーカ１００は、ボイスコイル１０２の内側及び外側の両側にマグネット（第１マグネット１３２と第２マグネット１３４）が配置される。従って、骨伝導スピーカ１００においては、マグネット間（第１マグネット１３２と第２マグネット１３４との間）に大きな磁場が生じる。よって、骨伝導スピーカ１００は、ボイスコイル１０２に供給する電気信号が弱くても、振動板１３６を振動させることができる。よって、骨伝導スピーカ１００は、小電力で振動板１３６を振動させることができる。また、骨伝導スピーカ１００においては、マグネット間に大きな磁場が生じるため、ボイスコイル１０２に供給される電気信号（電気信号の電流）を微弱に変化させることで、振動板の振動を変化させることができる。このため、かかる好ましい構成によれば、小電力で、高音質の音を伝達することができる。
【００５６】
また、骨伝導スピーカ１００は、ヨークとして機能する基板１３５に、第１マグネット１３２と第２マグネット１３４が配置され、第１マグネット１３２に第１プレート１３１が配置され、第２マグネット１３４に第２プレート１３３が配置され、ボイスコイル１０２が第１プレート１３１と第２プレート１３３との間に位置しているので、両方のマグネットにより効率的な磁気回路を形成できる。更に、振動板１３６には屈曲部１３６ｂが形成されているので、振動板１３６の表面積は大きい。従って、骨伝導スピーカ１００においては、振動部３の振動が大きくなりやすく、骨伝導スピーカ１００の音に対応する振動が、振動伝達クッション１０５に伝達され易い。
【００５７】
以上において説明したように、本実施形態に係る眼鏡フレーム２００は、図１５に示すように、先セル本体１０を耳に掛けて装着し、骨伝導スピーカ１００の振動伝達クッション１０５を耳介等に圧着させることで、装着しながら骨伝導スピーカ１００の音を聞くことができる。骨伝導スピーカ１００の音は、鼓膜を介さずに聞くことができる。よって、眼鏡フレーム２００の使用者は、眼鏡フレームが備える骨伝導スピーカ１００の音を聞いていても、鼓膜を介して周囲の音を容易に聞き取ることがきる。
【００５８】
また、眼鏡フレーム２００は、第１腕部４０と第２腕部５０とが回動自在に取り付けられている。よって、図１６に示すように、本実施形態に係る眼鏡フレームの使用者は、骨伝導スピーカ１００の音がより鮮明に聞こえる位置に骨伝導スピーカ１００を移動させて、骨伝導スピーカ１００の音を聞くことができる。
【００５９】
更に、眼鏡フレーム２００は、第１腕部４０の姿勢を多段階に調整でき、第２腕部５０の姿勢を無段階に調整できる構成とされている。よって、図１０（ａ）に示すように、第１腕部４０の姿勢を調整することで、骨伝導スピーカ１００の大まかな位置調整を行うことができ、図１０（ｂ）に示すように、第２腕部５０の姿勢を調整することで、骨伝導スピーカ１００の細かな位置調整を行うことができる。このように、大まかな位置調整と細かな位置調整とが可能であるので、手早く、眼鏡フレーム２００の使用者の所望する位置に骨伝導スピーカ１００を移動させることができる。
【００６０】
また、眼鏡フレーム２００は、第１腕部４０に比べて骨伝導スピーカ１００との間に介在する部材の少ない第２腕部５０の姿勢が無段階に調整可能とされている。よって、骨伝導スピーカ１００の細かな位置調整の際には、動かす部材も少なく、小さな力で骨伝導スピーカ１００を移動させることができる。よって、眼鏡フレーム２００は、骨伝導スピーカ１００の細かな位置調整が行い易い。
【００６１】
また、眼鏡フレーム２００は、第１腕部４０の先セル本体１０に対する回動量、及び、第２腕部５０の第１腕部４０に対する回動量が一定範囲に限定されている。このように、第１腕部４０及び第２腕部５０の回動量が一定範囲に限定されることで、眼鏡フレーム２００は、コード３の捩れが防止されている。
【００６２】
また、眼鏡フレーム２００は、スプリング部材３１の折り曲げ部３６が外方（図８の矢印Ｚ）に押されて、折り曲げ部３６が外方に位置するように撓むと、折り曲げ部３６を元の位置に戻そうとする弾性力がスプリング部材３１に生じる。よって、眼鏡フレーム２００が使用者に装着されて、使用者の耳介等に骨伝導スピーカ１００の振動伝達クッション１０５が当てられたとき、骨伝導スピーカ１００が耳介等によって外方に押圧されて、折り曲げ部３６が外方に位置すると、折り曲げ部３６を元の位置に戻そうとする弾性力がスプリング部材３１に生じる。よって、この弾性力によって、振動伝達クッション１０５は、耳介等を強く圧着する。従って、振動伝達クッションが耳介に圧着することで、眼鏡フレーム２００は、骨伝導スピーカ１００の音を鮮明に使用者に伝達することができる。
【００６３】
また、図９に示すように、骨伝導スピーカ付き先セル１は、耳当て部材１２３と絡み防止部材１２４とを備える。耳当て部材１２３は、軸部材１２７を介して先セル本体１０と揺動可能に取り付けられる。耳当て部材１２３は、耳の裏側に当接可能な耳当接部１２３ａと、軸部材１２７が取り付けられる揺動部１２３ｂとを有する。この軸部材１２７には、ピン又はネジ等を用いることができる。一方、絡み防止部材１２４は、可撓性を有し、且つ、先セル本体１０の耳当て部材１２３が取り付けられた部位１０２ａより前方にある所定部１０２ｂと耳当接部１２３ａの前端部と１２３ｃを連結する。尚、図示例では、耳当接部１２３ａ、所定部１０２ｂ及び絡み防止部材１２４は一体的に形成されている。
【００６４】
眼鏡フレーム２００においては、使用者に装着された状態において、眼鏡フレーム２００の前枠２０１（図１５参照）がずれ落ちようとすると、眼鏡フレーム２００のテンプル２後部と共に骨伝導スピーカ付き先セル１がずれ上がろうとする。骨伝導スピーカ付き先セル１がずれ上がろうとすると、骨伝導スピーカ付き先セル１に備えられる耳当て部材１２３の耳当接部１２３ａが上方へ移動しようとする。耳当接部１２３ａが上方へ移動しようとすると、軸部材１２７を中心として耳当接部１２３ａは前回りに回動（図９においては、左周りに回動）しようとする。この時、耳当接部１２３ａの前端部１２３ｃが使用者の耳の裏側を押圧する力が大きくなり、その結果、耳当接部１２３ａと使用者の耳の裏側との相対的な移動が阻止され、骨伝導スピーカ付き先セル１のずれ上がりが阻止される。このように、骨伝導スピーカ付き先セル１のずれ上がりが阻止されると、眼鏡フレーム２００のずれ落ちが阻止される。よって、眼鏡フレーム２００は、耳当て部材１２３を有することで、ずれ落ちが防止されている。
【００６５】
また、図９に示すように、絡み防止部材１２４によって、所定部１０２ｂと耳当接部１２３ａの前端部１２３ｃとが連結されている。よって、絡み防止部材１２４によって所定部１０２ｂと耳当接部１２３ａの前端部１２３ｃとが連結されているため、先セル本体１０の所定部１０２ｂと耳当接部１２３ａの前端部１２３ｃとの間は、絡み防止部材１２４で塞がれている。よって、眼鏡フレーム２００を外す際に、テンプル２を上方へ持ち上げても、先セル本体１０と耳当接部１２３ａとの取り付け部位（揺動部１２３ｂ）に髪の毛が入り込みにくい。よって、絡み防止部材１２４によって、先セル本体１０と耳当接部１２３ａとの取り付け部位に髪の毛が絡まることが抑制されている。また、絡み防止部材１２４は、可撓性を有するため、耳当接部１２３ａの揺動を阻害することがないため、上述した眼鏡フレーム２００のずれ落ちを防止する効果の発揮を阻害することもない。よって、眼鏡フレーム２００は、絡み防止部材１２４によって、上述した眼鏡フレーム２００のずれ落ちの防止の効果の発揮を阻害することなく、髪の毛が絡むことが抑制されている。
【図面の簡単な説明】
【００６６】
【図１】図１は、実施形態に係る骨伝導スピーカ付き先セルの正面斜視図である。
【図２】図２は、実施形態に係る骨伝導スピーカ付き先セルの正面斜視図である。
【図３】図３は、実施形態に係る骨伝導スピーカ付き先セルの背面斜視図である。
【図４】図４は、実施形態に係る骨伝導スピーカ付き先セルの背面斜視図である。
【図５】図５は、実施形態に係る骨伝導スピーカ付き先セルの内部構成を示した分解斜視図である。
【図６】図６は、実施形態に係る骨伝導スピーカ付き先セルの内部構成を示した分解斜視図である。
【図７】図７は、実施形態に係る骨伝導スピーカ付き先セルの正面図である。
【図８】図８は、図７のＡ―Ａ断面図である。
【図９】図９は、図８のＢ−Ｂ断面図である。
【図１０】図１０（ａ）は、第１腕部が採り得る姿勢を示し、図１０（ｂ）は、第２腕部が採り得る姿勢を示す。
【図１１】図１１は、図８のＣ−Ｃ断面図である。
【図１２】図１２は、実施形態に係る骨伝導スピーカの断面図である。
【図１３】図１３は、実施形態に係る骨伝導スピーカの分解斜視図である。
【図１４】図１４は、実施形態に係る振動板の平面図である。
【図１５】図１５は、実施形態に係る眼鏡フレームの使用状態を示す図である。
【図１６】図１６は、実施形態に係る眼鏡フレームの使用状態を示す図である。
【符号の説明】
【００６７】
１  骨伝導スピーカ付き先セル
２  テンプル
１０  先セル本体
２０  支持部材
４０  第１腕部
５０  第２腕部
１００  骨伝導スピーカ
２００  眼鏡フレーム
【図１】
0005055530.tif 000002
【図２】
0005055530.tif 000003
【図３】
0005055530.tif 000004
【図４】
0005055530.tif 000005
【図５】
0005055530.tif 000006
【図６】
0005055530.tif 000007
【図７】
0005055530.tif 000008
【図８】
0005055530.tif 000009
【図９】
0005055530.tif 000010
【図１０】
0005055530.tif 000011
【図１１】
0005055530.tif 000012
【図１２】
0005055530.tif 000013
【図１３】
0005055530.tif 000014
【図１４】
0005055530.tif 000015
【図１５】
0005055530.tif 000016
【図１６】
0005055530.tif 000017